(57)【要約】      （修正有）【課題】喘息の発作が起きる前に、現在位置での喘息発作の発生状況を喘息予報として提供できる喘息予報システムを提供する。【解決手段】喘息予報システム１は、対象者の喘鳴を検知する喘鳴検知デバイス２と、サーバ３と、を備える。サーバ３は、喘鳴検知デバイス２から喘鳴情報および現在位置情報を取得する情報取得部と、複数の喘鳴検知デバイスから取得される喘鳴情報および現在位置情報に基づいて、喘息発作の地理的な発生状況を示す喘息予報マップを生成するマップ生成部と、を有する。【選択図】図１
2020112856.tif 000002
【特許請求の範囲】
【請求項１】
対象者の喘鳴を検知する喘鳴検知デバイスと、サーバと、を備え、
前記サーバは、
前記喘鳴検知デバイスから喘鳴情報および現在位置情報を取得する情報取得部と、
複数の喘鳴検知デバイスから取得される喘鳴情報および現在位置情報に基づいて、喘息発作の地理的な発生状況を示す喘息予報マップを生成するマップ生成部と、
を有する、
ことを特徴とする喘息予報システム。
【請求項２】
前記サーバは、
現在の喘息予報マップに基づいて、喘息の発作が起こりやすいエリアを推定し、当該エリア内に位置する対象者の喘鳴検知デバイスまたは当該対象者の関係者の端末装置に、第１注意情報を配信する注意情報配信部をさらに有する、
ことを特徴とする請求項１に記載の喘息予報システム。
【請求項３】
前記マップ生成部は、前記喘息予報マップに時間情報または天候情報を紐づけてデータベースに記憶し、
前記注意情報配信部は、現在時刻と同じ時間帯の過去の喘息予報マップまたは現在の天候と同じ天候の過去の喘息予報マップに基づいて、喘息の発作が起こりやすいエリアを推定し、当該エリア内に位置する対象者の喘鳴検知デバイスまたは当該対象者の関係者の端末装置に、第２注意情報を配信する、
ことを特徴とする請求項２に記載の喘息予報システム。
【請求項４】
前記喘鳴検知デバイスは、対象者の衣服に取り付け可能である、
ことを特徴とする請求項１〜３のいずれかに記載の喘息予報システム。
【請求項５】
対象者の喘鳴を検知する喘鳴検知デバイスから喘鳴情報および現在位置情報を取得する情報取得部と、
複数の喘鳴検知デバイスから取得される喘鳴情報および現在位置情報に基づいて、喘息発作の地理的な発生状況を示す喘息予報マップを生成するマップ生成部と、
を備えたサーバ。
【請求項６】
対象者の喘鳴を検知する喘鳴検知部と、
現在位置情報を取得する現在位置取得部と、
喘鳴情報および現在位置情報を、喘息発作の地理的な発生状況を示す喘息予報マップを生成するサーバへと送信する情報送信部と、
を備えた喘鳴検知デバイス。
【請求項７】
対象者の喘鳴を検知する喘鳴検知デバイスから喘鳴情報および現在位置情報を取得するステップと、
複数の喘鳴検知デバイスから取得される喘鳴情報および現在位置情報に基づいて、喘息発作の地理的な発生状況を示す喘息予報マップを生成するステップと、
を含むことを特徴とする方法。
【請求項８】
コンピュータに、
対象者の喘鳴を検知する喘鳴検知デバイスから喘鳴情報および現在位置情報を取得するステップと、
複数の喘鳴検知デバイスから取得される喘鳴情報および現在位置情報に基づいて、喘息発作の地理的な発生状況を示す喘息予報マップを生成するステップと、
を実行させることを特徴とするプログラム。
【発明の詳細な説明】
【技術分野】
【０００１】
本発明は、喘息予報システムに関する。
【背景技術】
【０００２】
現在、日本国内では２０〜２５万人の小学生が小児喘息の持病を持っていると言われている。小児喘息の発作が起きると、夜眠れない、勉強ができない、友達と遊べない、学校に行けない、体育に参加できない、など、通常の生活が送れなくなる。季節の変わり目、夜中、夢中で遊んでいるときなど、大人なら自覚できる喘息発作の予兆を、子どもは感知できないため、この「不安」は大きいと考えられる。
【０００３】
特許文献１には、被験者の呼吸音に喘鳴が含まれているか否かを検出する喘鳴検出装置が開示されている。
【先行技術文献】
【特許文献】
【０００４】
【特許文献１】特開第２０１６−１５８８０６号公報
【発明の概要】
【発明が解決しようとする課題】
【０００５】
しかしながら、特許文献１に記載の装置は、既に喘息の発作を感じてから使用するものであり、小児喘息を持病に持つ子どもが抱えている「発作が出たら苦しい、どうしよう。」という、喘息の発作が起きる前の「不安」を解消することはできない。
【０００６】
本発明は、以上のような点を考慮してなされたものである。本発明の目的は、喘息の発作が起きる前に、現在位置での喘息発作の発生状況を喘息予報として提供できる喘息予報システムを提供することにある。
【課題を解決するための手段】
【０００７】
本発明の第１の態様に係る喘息予報システムは、
対象者の喘鳴を検知する喘鳴検知デバイスと、サーバと、を備え、
前記サーバは、
前記喘鳴検知デバイスから喘鳴情報および現在位置情報を取得する情報取得部と、
複数の喘鳴検知デバイスから取得される喘鳴情報および現在位置情報に基づいて、喘息発作の地理的な発生状況を示す喘息予報マップを生成するマップ生成部と、
を有する。
【０００８】
このような態様によれば、サーバのマップ生成部が、複数の喘鳴検知デバイスから取得される喘鳴情報および現在位置情報に基づいて、喘息発作の地理的な発生状況を示す喘息予報マップを生成するため、対象者に喘息の発作が起きる前に、現在位置での喘息発作の発生状況を喘息予報として提供することが可能となる。これにより、特に小児喘息を持病に持つ子ども（またはその親や先生などの関係者）が喘息予報を取得することで、喘息の発作が起こりやすい状況にあるか否かが事前に分かるようになり、子どもが抱えている「発作が出たら苦しい、どうしよう。」という「不安」を解消できるようになる。
【０００９】
本発明の第２の態様に係る喘息予報システムは、第１の態様に係る喘息予報システムであって、
前記サーバは、
現在の喘息予報マップに基づいて、喘息の発作が起こりやすいエリアを推定し、当該エリア内に位置する対象者の喘鳴検知デバイスまたは当該対象者の関係者の端末装置に、第１注意情報を配信する注意情報配信部をさらに有する。
【００１０】
このような態様によれば、現在の喘息予報マップに基づいて、喘息の発作が起こりやすいエリアが推定され、当該エリア内に位置する対象者またはその関係者に第１注意情報の配信されるため、当該エリア内に位置する対象者またはその関係者は、対象者本人に喘息の発作が起きる前であっても、喘息の発作が起こりやすい状況にあることを認知して事前に対応できるようになる。
【００１１】
本発明の第３の態様に係る喘息予報システムは、第２の態様に係る喘息予報システムであって、
前記マップ生成部は、前記喘息予報マップに時間情報または天候情報を紐づけてデータベースに記憶し、
前記注意情報配信部は、現在時刻と同じ時間帯の過去の喘息予報マップまたは現在の天候と同じ天候の過去の喘息予報マップに基づいて、喘息の発作が起こりやすいエリアを推定し、当該エリア内に位置する対象者の喘鳴検知デバイスまたは当該対象者の関係者の端末装置に、第２注意情報を配信する。
【００１２】
このような態様によれば、現在時刻と同じ時間帯の過去の喘息予報マップまたは現在の天候と同じ天候の過去の喘息予報マップに基づいて、喘息の発作が起こりやすいエリアが推定され、当該エリア内に位置する対象者またはその関係者に第２注意情報が配信されるため、当該エリア内に位置する対象者またはその関係者は、対象者本人に喘息の発作が起きる前であっても、喘息の発作が起こりやすい状況にあることを認知して事前に対応できるようになる。
【００１３】
本発明の第４の態様に係る喘息予報システムは、第１〜３のいずれかの態様に係る喘息予報システムであって、
前記喘鳴検知デバイスは、対象者の衣服に取り付け可能である。
【００１４】
小児喘息患者はアトピー性皮膚炎も併発していることが多く、肌に密着しているものを避ける傾向があるが、このような態様によれば、喘鳴検知デバイスは対象者の衣服に取り付け可能であり、肌に密着しないため、対象者は喘鳴検知デバイスを安心して日常的に携帯することができる。
【００１５】
本発明の第５の態様に係るサーバは、
対象者の喘鳴を検知する喘鳴検知デバイスから喘鳴情報および現在位置情報を取得する情報取得部と、
複数の喘鳴検知デバイスから取得される喘鳴情報および現在位置情報に基づいて、喘息発作の地理的な発生状況を示す喘息予報マップを生成するマップ生成部と、
を備える。
【００１６】
本発明の第６の態様に係る喘鳴検知デバイスは、
対象者の喘鳴を検知する喘鳴検知部と、
現在位置情報を取得する現在位置取得部と、
喘鳴情報および現在位置情報を、喘息発作の地理的な発生状況を示す喘息予報マップを生成するサーバへと送信する情報送信部と、
を備える。
【００１７】
本発明の第７の態様に係る方法は、
対象者の喘鳴を検知する喘鳴検知デバイスから喘鳴情報および現在位置情報を取得するステップと、
複数の喘鳴検知デバイスから取得される喘鳴情報および現在位置情報に基づいて、喘息発作の地理的な発生状況を示す喘息予報マップを生成するステップと、
を含む。
【００１８】
本発明の第８の態様に係るプログラムは、
コンピュータに、
対象者の喘鳴を検知する喘鳴検知デバイスから喘鳴情報および現在位置情報を取得するステップと、
複数の喘鳴検知デバイスから取得される喘鳴情報および現在位置情報に基づいて、喘息発作の地理的な発生状況を示す喘息予報マップを生成するステップと、
を実行させる。
【発明の効果】
【００１９】
本発明によれば、喘息の発作が起きる前に、現在位置での喘息発作の発生状況を喘息予報として提供できる。
【図面の簡単な説明】
【００２０】
【図１】図１は、一実施の形態に係る喘息予報システムの構成を示す概略図である。
【図２】図２は、喘鳴検知デバイスを拡大して示す図である。
【図３】図３は、喘鳴検知デバイスの内部の構成を示す図である。
【図４】図４は、喘鳴検知デバイスの構成を示すブロック図である。
【図５】図５は、サーバの構成を示すブロック図である。
【図６】図６は、喘息予報システムの動作の一例を示すフローチャートである。
【図７】図７は、喘息予報マップの一例を示す図である。
【発明を実施するための形態】
【００２１】
以下に、添付の図面を参照して、実施の形態の具体例を詳細に説明する。なお、以下の説明および以下の説明で用いる図面では、同一に構成され得る部分について、同一の符号を用いるとともに、重複する説明を省略する。
【００２２】
図１は、一実施の形態に係る喘息予報システム１の構成を示す概略図である。
【００２３】
図１に示すように、喘息予報システム１は、対象者の喘鳴を検知する喘鳴検知デバイス２と、サーバ３とを有している。喘鳴検知デバイス２とサーバ３とは、インターネット等のネットワーク４を介して互いに通信可能に接続されている。ネットワーク４は、無線回線を含むのであれば、回線の種類や形態は問わない。なお、喘鳴検知デバイス２とサーバ３の少なくとも一部は、コンピュータにより実現される。
【００２４】
図１に示すように、ネットワーク４には、対象者の関係者（たとえば、両親や先生など）の端末装置５が通信可能に接続されていてもよい。端末装置５は、対象者の関係者に情報を通知する機能を有するものであり、たとえば、スマートフォンやタブレット端末などのモバイル端末、ノートブックコンピュータ、デスクトップコンピュータ、またはスマートスピーカーなどの電子機器である。
【００２５】
図２は、喘鳴検知デバイス２を拡大して示す図であり、図３は、喘鳴検知デバイス２の内部の構成を示す図である。図４は、喘鳴検知デバイス２の構成を示すブロック図である。
【００２６】
図２および図３に示すように、喘鳴検知デバイス２は、対象者の衣服に取り付け可能なケース２０を有している。図示されて例では、ケース２０は、安全ピンなどで衣服の胸元に取り付け可能な名札形状を有しており、日常生活の中で身につけても自然に感じられるものとなっている。ケース２０の材質は、布や樹脂など、対象者が持ちたくなる・触りたくなる素材や、汚れても洗える・取り換えられる素材であるのが望ましい。
【００２７】
図３および図４に示すように、ケース２０の内部には、通信部２１と、制御部２２と、喘鳴検知部２３と、現在位置取得部２４と、警報部２５と、各部２１〜２５に電力を供給するバッテリ２６と、スイッチ２７とが収容されている。なお、図面の理解のしやすさの便宜上、図３では制御部２２の図示が省略されており、図４ではバッテリ２６とスイッチ２７の図示が省略されている。
【００２８】
通信部２１は、喘鳴検知デバイス２とネットワーク４との間の通信インターフェースである。通信部２１は、ネットワーク４を介して喘鳴検知デバイス２とサーバ３との間で情報を送受信する。
【００２９】
一変形例として、通信部２１は、喘鳴検知デバイス２と中継端末（たとえばスマートフォンやタブレット端末、スマートスピーカーなど）との間の通信インターフェースであってもよい。この場合、通信部２１は、Ｂｌｕｅｔｏｏｔｈ（登録商標）などの近距離無線通信を利用して、喘鳴検知デバイス２と中継端末との間で情報を送受信し、中継端末は、ネットワーク４を介して中継端末とサーバ３との間で情報を送受信してもよい。
【００３０】
喘鳴検知部２３は、たとえば超指向性マイクロホンであり、対象者の呼吸音を喘鳴情報として収集し、対象者の喘鳴を検知する。
【００３１】
現在位置取得部２４は、たとえばＧＰＳ、ビーコンなどの電波航法手段による測位情報に基づいて現在位置情報を取得する。喘鳴検知デバイス２は、その場で対象者の喘鳴を検知するものであるから、現在位置取得部２４により取得された現在位置情報は、対象者の位置情報を示すものとなる。
【００３２】
警報部２５は、たとえばＬＥＤライトであり、対象者（または周囲の関係者）に情報を伝達する。なお、警報部２５は、対象者（または周囲の関係者）に情報を伝達できる手段であれば、ライトに限定されるものでなく、たとえば音を発するスピーカや振動を生成するバイブレータであってもよい。
【００３３】
制御部２２は、喘鳴検知デバイス２の各種処理を行う制御手段である。制御部２２は、喘鳴検知デバイス２内のプロセッサが所定のプログラムを実行することにより実現されてもよいし、ハードウェアで実装されてもよい。
【００３４】
制御部２２は、喘鳴検知部２３により喘鳴が検知されると、たとえば警報部２５のランプを点滅させることで、喘鳴が検知されたことを対象者（または周囲の関係者）に通知する。
【００３５】
また、制御部２２は、予め定められた繰り返し周期（たとえば、１分ごと、１０分ごと、３０分ごとなど）で、喘鳴検知部２３により収集された喘鳴情報と、現在位置取得部２４により取得された現在位置情報とを、通信部２１を介してサーバ３へと送信する。
【００３６】
次に、サーバ３について説明する。図５は、サーバ３の構成を示すブロック図である。
【００３７】
図５に示すように、サーバ３は、たとえばクラウド型のコンピュータシステムであり、通信部３１と、制御部３２と、記憶部３３とを有している。
【００３８】
このうち通信部３１は、サーバ３とネットワーク４との間の通信インターフェースである。通信部３１は、ネットワーク４を介して喘鳴検知デバイス２および端末装置５とサーバ３との間で情報を送受信する。
【００３９】
記憶部３３は、たとえばハードディスク等の固定型データストレージである。記憶部３３には、制御部３２が取り扱う各種データが記憶される。たとえば、記憶部３３は、喘息予報マップデータベース３３１を含んでいる。
【００４０】
喘息予報マップデータベース３３１には、後述するマップ生成部３２２により生成された、喘息発作の地理的な発生状況を示す喘息予報マップ（図７参照）が記憶される。喘息予報マップは、時間情報および天候情報のいずれか一方または両方が紐づけられた状態で、喘息予報マップデータベース３３１に記憶されていてもよい。
【００４１】
制御部３２は、サーバ３の各種処理を行う制御手段である。図５に示すように、制御部３２は、情報取得部３２１と、マップ生成部３２２と、注意情報配信部３２３と、天候取得部３２４とを有している。これらの各部は、サーバ３内のプロセッサが所定のプログラムを実行することにより実現されてもよいし、ハードウェアで実装されてもよい。
【００４２】
情報取得部３２１は、対象者の喘鳴情報および現在位置情報を喘鳴検知デバイス２から受信して取得する。
【００４３】
天候取得部３２４は、各地の天候情報を、外部のサーバ（たとえば、気象庁や民間気象サービス等のサーバなど）にアクセスして取得する。
【００４４】
マップ生成部３２２は、複数の喘鳴検知デバイス２から取得される喘鳴情報および現在位置情報に基づいて、喘息発作の地理的な発生状況を示す喘息予報マップを生成し、喘息予報マップデータベース３３１に記憶する。
【００４５】
図７は、喘息予報マップの一例を示す図である。図７に示す例では、喘息予報マップ上において、喘息の発作を起こした対象者（喘鳴が検知される対象者）の現在位置が、黒色のキャラクタで表示され、喘息の発作を起こしていない対象者（喘鳴が検知されない対象者）の現在位置が、白色のキャラクタで表示されている。また、図７に示す例では、喘息予報マップ上において、喘息の発作が起こりやすいエリア（たとえば、エリア内に位置する対象者全体に対する喘息の発作を起こした対象者の割合が予め定められた基準値を超えたエリア）が色分けで表示されている。
【００４６】
マップ生成部３２２は、生成した喘息予報マップに、時間情報または天候取得部３２４により取得された天候情報を紐づけて、喘息予報マップデータベース３３１に記憶してもよい。
【００４７】
注意情報配信部３２３は、喘息予報マップデータベース３３１を参照し、現在の喘息予報マップに基づいて、喘息の発作が起こりやすいエリア（以下、喘息注意エリアという）を推定する。注意情報配信部３２３は、エリア内に位置する対象者全体に対する喘息の発作を起こした対象者の割合（相対値）が予め定められた基準値を超えたエリアを、喘息注意エリアとして推定してもよいし、エリア内に位置する喘息の発作を起こした対象者の人数（絶対値）が予め定められた基準値を超えたエリアを、喘息注意エリアとして推定してもよい。
【００４８】
そして、注意情報配信部３２３は、情報取得部３２１により取得された対象者の現在位置情報に基づいて、喘息注意エリア内に位置する対象者を特定し、喘息注意エリア内に位置する対象者の喘鳴検知デバイス２、または当該対象者の関係者の端末装置５に、現在のデータから喘息の発作が起こりやすい状況にあると判定できる旨の第１注意情報を配信する。喘鳴検知デバイス２が第１注意情報を受信すると、喘鳴検知デバイス２の制御部２２が、たとえば警報部２５のランプを点滅させることで、喘息の発作が起こりやすい状況にあることを対象者（または周囲の関係者）に通知する。
【００４９】
注意情報配信部３２３は、喘息予報マップデータベース３３１を参照し、現在時刻と同じ時間帯の過去の喘息予報マップまたは現在の天候と同じ天候の過去の喘息予報マップに基づいて、喘息の発作が起こりやすいエリア（すなわち、喘息注意エリア）を推定してもよい。
【００５０】
そして、注意情報配信部３２３は、情報取得部３２１により取得された対象者の現在位置情報に基づいて、喘息注意エリア内に位置する対象者を特定し、喘息注意エリア内に位置する対象者の喘鳴検知デバイス２、または当該対象者の関係者の端末装置５に、過去のデータから喘息の発作が起こりやすい状況にあると判定できる旨の第２注意情報を配信してもよい。喘鳴検知デバイス２が第２注意情報を受信すると、喘鳴検知デバイス２の制御部２２が、たとえば警報部２５のランプを点滅させることで、喘息の発作が起こりやすい状況にあることを対象者（または周囲の関係者）に通知する。
【００５１】
次に、このような構成からなる喘息予報システム１の動作の一例について、図６を参照して説明する。図６は、喘息予報システム１の動作の一例を示すフローチャートである。
【００５２】
図６を参照し、まず、対象者が所持する喘鳴検知デバイス２が、予め定められた繰り返し周期（たとえば１分ごと）で、対象者の呼吸音を喘鳴情報として収集し、収集した対象者の喘鳴情報と現在位置情報とを、ネットワーク４を介してサーバ３へと送信する。サーバ３の情報取得部３２１は、対象者の喘鳴情報および現在位置情報を喘鳴検知デバイス２から受信して取得する（ステップＳ１０）。
【００５３】
次いで、マップ生成部３２２が、複数の喘鳴検知デバイス２から取得される喘鳴情報および現在位置情報に基づいて、喘息発作の地理的な発生状況を示す喘息予報マップを生成する（ステップＳ１１）。
【００５４】
そして、マップ生成部３２２は、生成した喘息予報マップに、時間情報または天候取得部３２４により取得される天候情報を紐づけて、喘息予報マップデータベース３３１に記憶する（ステップＳ１２）。
【００５５】
次に、注意情報配信部３２３が、喘息予報マップデータベース３３１を参照し、現在の喘息予報マップに基づいて、喘息の発作が起こりやすいエリア（すなわち、喘息注意エリア）を推定する（ステップＳ１３）。
【００５６】
そして、注意情報配信部３２３は、情報取得部３２１により取得された対象者の現在位置情報に基づいて、喘息注意エリア内に位置する対象者を特定し、喘息注意エリア内に位置する対象者の喘鳴検知デバイス２、または当該対象者の関係者の端末装置５に、現在のデータから喘息の発作が起こりやすい状況にあると判定できる旨の第１注意情報を配信する（ステップＳ１４）。
【００５７】
第１注意情報が配信された喘鳴検知デバイス２の制御部２２は、たとえば警報部２５のランプを点滅させることで、喘息の発作が起こりやすい状況にあることを対象者（または周囲の関係者）に通知する。
【００５８】
また、注意情報配信部３２３は、喘息予報マップデータベース３３１を参照し、現在時刻と同じ時間帯の過去の喘息予報マップまたは現在の天候と同じ天候の過去の喘息予報マップに基づいて、喘息の発作が起こりやすいエリア（すなわち、喘息注意エリア）を推定する（ステップＳ１５）。
【００５９】
そして、注意情報配信部３２３は、情報取得部３２１により取得された対象者の現在位置情報に基づいて、喘息注意エリア内に位置する対象者を特定し、喘息注意エリア内に位置する対象者の喘鳴検知デバイス２、または当該対象者の関係者の端末装置５に、過去のデータから喘息の発作が起こりやすい状況にあると判定できる旨の第２注意情報を配信する（ステップＳ１６）。
【００６０】
第２注意情報が配信された喘鳴検知デバイス２の制御部２２は、たとえば警報部２５のランプを点滅させることで、喘息の発作が起こりやすい状況にあることを対象者（または周囲の関係者）に通知する。
【００６１】
ところで、発明が解決しようとする課題の欄でも言及したように、従来の喘鳴検出装置は、既に喘息の発作を感じてから使用するものであり、小児喘息を持病に持つ子どもが抱えている「発作が出たら苦しい、どうしよう。」という、喘息の発作が起きる前の「不安」を解消することはできなかった。
【００６２】
これに対し、本実施の形態によれば、サーバ３のマップ生成部３２２が、複数の喘鳴検知デバイス２から取得される喘鳴情報および現在位置情報に基づいて、喘息発作の地理的な発生状況を示す喘息予報マップ（図７参照）を生成するため、対象者に喘息の発作が起きる前に、現在位置での喘息発作の発生状況を喘息予報として提供することが可能となる。これにより、特に小児喘息を持病に持つ子ども（またはその親や先生などの関係者）が喘息予報を取得することで、喘息の発作が起こりやすい状況にあるか否かが事前に分かるようになり、子どもが抱えている「発作が出たら苦しい、どうしよう。」という「不安」を解消できるようになる。
【００６３】
また、本実施の形態によれば、現在の喘息予報マップに基づいて、喘息の発作が起こりやすいエリアが推定され、当該エリア内に位置する対象者またはその関係者に第１注意情報が配信されるため、当該エリア内に位置する対象者またはその関係者は、対象者本人に喘息の発作が起きる前であっても、喘息の発作が起こりやすい状況にあることを認知して事前に対応できるようになる。
【００６４】
また、本実施の形態によれば、現在時刻と同じ時間帯の過去の喘息予報マップ、または現在の天候と同じ天候の過去の喘息予報マップに基づいて、喘息の発作が起こりやすいエリアが推定され、当該エリア内に位置する対象者またはその関係者に第２注意情報が配信されるため、当該エリア内に位置する対象者またはその関係者は、対象者本人に喘息の発作が起きる前であっても、喘息の発作が起こりやすい状況にあることを認知して事前に対応できるようになる。
【００６５】
また、小児喘息患者はアトピー性皮膚炎も併発していることが多く、肌に密着しているものを避ける傾向があるが、本実施の形態によれば、喘鳴検知デバイス２は対象者の衣服に取り付け可能であり、肌に密着しないため、対象者は喘鳴検知デバイス２を安心して日常的に携帯することができる。
【００６６】
なお、上述した実施の形態の記載ならびに図面の開示は、特許請求の範囲に記載された発明を説明するための一例に過ぎず、上述した実施の記載または図面の開示によって特許請求の範囲に記載された発明が限定されることはない。上述した実施の形態の構成要素は、発明の主旨を逸脱しない範囲で任意に組み合わせることが可能である。
【００６７】
また、本実施の形態に係る喘息予報システムのサーバはコンピュータシステムによって構成され得るが、コンピュータシステムに喘息予報システムのサーバを実現させるためのプログラム及び当該プログラムを記録した記録媒体も、本件の保護対象である。
【符号の説明】
【００６８】
１      喘息予報システム
２      喘鳴検知デバイス
２１    通信部
２２    制御部
２３    喘鳴検知部
２４    現在位置取得部
２５    警報部
３      サーバ
３１    通信部
３２    制御部
３２１  情報取得部
３２２  マップ生成部
３２３  注意情報配信部
３２４  天候取得部
３３    記憶部
３３１  喘息予報マップデータベース
３３２  喘息注意エリア判定閾値データベース
４      ネットワーク
５      端末装置
【図１】
2020112856.tif 000003
【図２】
2020112856.tif 000004
【図３】
2020112856.tif 000005
【図４】
2020112856.tif 000006
【図５】
2020112856.tif 000007
【図６】
2020112856.tif 000008
【図７】
2020112856.tif 000009